(57)【要約】  時間長が異なる複数のＴＴＩにおけるＵＬ信号の送信電力を適切に制御すること。本発明のユーザ端末は、第１の伝送時間間隔（ＴＴＩ）で送信される第１の上りリンク（ＵＬ）信号用の送信電力制御（ＴＰＣ）コマンド、及び／又は、前記第１のＴＴＩよりも時間長が短い第２のＴＴＩで送信される第２のＵＬ信号用のＴＰＣコマンドを受信する受信部と、前記第１のＵＬ信号用のＴＰＣコマンド及び／又は前記第２のＵＬ信号用のＴＰＣコマンドの累積を制御する制御部と、を具備する。
2018207372.tif 000002
【特許請求の範囲】
【請求項１】
第１の伝送時間間隔（ＴＴＩ）で送信される第１の上りリンク（ＵＬ）信号用の送信電力制御（ＴＰＣ）コマンド、及び／又は、前記第１のＴＴＩよりも時間長が短い第２のＴＴＩで送信される第２のＵＬ信号用のＴＰＣコマンドを受信する受信部と、
前記第１のＵＬ信号用のＴＰＣコマンド及び／又は前記第２のＵＬ信号用のＴＰＣコマンドの累積を制御する制御部と、
を具備することを特徴とするユーザ端末。
【請求項２】
前記制御部は、前記第１のＵＬ信号用のＴＰＣコマンド及び前記第２のＵＬ信号用のＴＰＣコマンドを共通に累積する、又は、独立に累積することを特徴とする請求項１に記載のユーザ端末。
【請求項３】
前記制御部は、前記第１のＵＬ信号用のＴＰＣコマンド又は前記第２のＵＬ信号用のＴＰＣコマンドのいずれかを累積することを特徴とする請求項２に記載のユーザ端末。
【請求項４】
前記制御部は、前記第１のＴＴＩ及び前記第２のＴＴＩ間の切り替えが行われる場合、前記第２のＵＬ信号用のＴＰＣコマンドに基づいて前記第１のＵＬ信号用のＴＰＣコマンドを累積する、又は、前記第１のＵＬ信号用のＴＰＣコマンドに基づいて前記第２のＵＬ信号用のＴＰＣコマンドを累積することを特徴とする請求項３に記載のユーザ端末。
【請求項５】
前記制御部は、前記第１のＵＬ信号用のＴＰＣコマンド及び／又は前記第２のＵＬ信号用のＴＰＣコマンドの累積のリセットを制御することを特徴とする請求項１から請求項４のいずれかに記載のユーザ端末。
【請求項６】
ユーザ端末において、
第１の伝送時間間隔（ＴＴＩ）で送信される第１の上りリンク（ＵＬ）信号用の送信電力制御（ＴＰＣ）コマンド、及び／又は、前記第１のＴＴＩよりも時間長が短い第２のＴＴＩで送信される第２のＵＬ信号用のＴＰＣコマンドを受信する工程と、
前記第１のＵＬ信号用のＴＰＣコマンド及び／又は前記第２のＵＬ信号用のＴＰＣコマンドの累積を制御する工程と、
を具備することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．１０以降）では、広帯域化を図るために、複数のキャリア（コンポーネントキャリア（ＣＣ：Component  Carrier）、セル）を統合するキャリアアグリゲーション（ＣＡ：Carrier  Aggregation）が導入されている。各キャリアは、ＬＴＥ  Ｒｅｌ．８のシステム帯域を一単位として構成される。また、ＣＡでは、同一の無線基地局（eNB：eNodeB）の複数のＣＣがユーザ端末（ＵＥ：User  Equipment）に設定される。【０００４】
また、既存のＬＴＥシステム（例えば、ＬＴＥ  Ｒｅｌ．１２以降）では、異なる無線基地局の複数のセルグループ（ＣＧ：Cell  Group）がユーザ端末に設定されるデュアルコネクティビティ（ＤＣ：Dual  Connectivity）も導入されている。各セルグループは、少なくとも一つのキャリア（ＣＣ、セル）で構成される。異なる無線基地局の複数のキャリアが統合されるため、ＤＣは、基地局間ＣＡ（Inter-eNB  CA）などとも呼ばれる。【０００５】
また、既存のＬＴＥシステム（例えば、ＬＴＥ  Ｒｅｌ．８−１３）では、１ｍｓの伝送時間間隔（ＴＴＩ：Transmission  Time  Interval）を用いて、下りリンク（ＤＬ：Downlink）及び／又は上りリンク（ＵＬ：Uplink）の通信が行われる。当該１ｍｓのＴＴＩは、チャネル符号化された１データパケットの送信時間単位であり、スケジューリング、リンクアダプテーションなどの処理単位となる。１ｍｓのＴＴＩは、サブフレーム、サブフレーム長等とも呼ばれる。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＬＴＥ  Ｒｅｌ．１４以降、５Ｇ又はＮＲなど）では、遅延削減（Latency  Reduction）を実現するため、時間長の異なる複数のＴＴＩ（例えば、相対的に長い時間長を有するＴＴＩ（ロングＴＴＩ、１ｍｓ  ＴＴＩ、サブフレーム又は第１のＴＴＩ等ともいう）、相対的に短い時間長を有するＴＴＩ（ショートＴＴＩ、ｓＴＴＩ又は第２のＴＴＩ等ともいう）をサポートすることが検討されている。【０００８】
また、時間長が異なる複数のＴＴＩ（例えば、ロングＴＴＩ及びショートＴＴＩ）がサポートされる将来の無線通信システムでは、同一キャリア（ＣＣ、セル等ともいう）内において、ＴＴＩの時間長を動的に切り替えることが想定される。例えば、Ｌ１／Ｌ２シグナリング（例えば、ＭＡＣ（Medium  Access  Control）シグナリング及び／又は物理チャネル）を用いて、ＲＲＣ（Radio  Resource  Control）の再設定（reconfiguration）を行わずに、ロングＴＴＩ及びショートＴＴＩを切り替えることが想定される。【０００９】
このような将来の無線通信システムにおいて、１ｍｓのＴＴＩだけを用いる既存のＬＴＥシステム（例えば、ＬＴＥ  Ｒｅｌ．１３以前）と同様の方法でＵＬ信号（例えば、ＵＬデータチャネル、ＵＬ制御チャネル及びＵＬ参照信号の少なくとも一つ）の送信電力を制御する場合、当該複数のＴＴＩにおいてＵＬ信号を適切に送信できない恐れがある。【００１０】
本発明はかかる点に鑑みてなされたものであり、時間長が異なる複数のＴＴＩにおけるＵＬ信号の送信電力を適切に制御可能なユーザ端末及び無線通信方法を提供することを目的の一とする。
【課題を解決するための手段】
【００１１】
本発明のユーザ端末の一態様は、第１の伝送時間間隔（ＴＴＩ）で送信される第１の上りリンク（ＵＬ）信号用の送信電力制御（ＴＰＣ）コマンド、及び／又は、前記第１のＴＴＩよりも時間長が短い第２のＴＴＩで送信される第２のＵＬ信号用のＴＰＣコマンドを受信する受信部と、前記第１のＵＬ信号用のＴＰＣコマンド及び／又は前記第２のＵＬ信号用のＴＰＣコマンドの累積を制御する制御部と、を具備することを特徴とする。
【発明の効果】
【００１２】
本発明によれば、時間長が異なる複数のＴＴＩにおけるＵＬ信号の送信電力を適切に制御できる。
【図面の簡単な説明】
【００１３】
【図１】図１Ａ及び１Ｂは、同一キャリア内におけるショートＴＴＩ及びロングＴＴＩの動的な切り替えの一例を示す図である。
【図２】ロングＰＵＳＣＨのＴＰＣコマンド及びショートＰＵＳＣＨのＴＰＣコマンドの累積制御の一例を示す図である。
【図３】図３Ａ及び３Ｂは、第１の態様のケース１に係るＴＰＣコマンドの累積制御の一例を示す図である。
【図４】第１の態様のケース２に係るＴＰＣコマンドの累積制御の一例を示す図である。
【図５】第１の態様のケース３に係るＴＰＣコマンドの累積制御の一例を示す図である。
【図６】第１の態様のケース４に係るＴＰＣコマンドの累積制御の一例を示す図である。
【図７】本実施の形態に係る無線通信システムの概略構成の一例を示す図である。
【図８】本実施の形態に係る無線基地局の全体構成の一例を示す図である。
【図９】本実施の形態に係る無線基地局の機能構成の一例を示す図である。
【図１０】本実施の形態に係るユーザ端末の全体構成の一例を示す図である。
【図１１】本実施の形態に係るユーザ端末の機能構成の一例を示す図である。
【図１２】本実施の形態に係る無線基地局及びユーザ端末のハードウェア構成の一例を示す図である。
【発明を実施するための形態】
【００１４】
既存のＬＴＥシステム（例えば、ＬＴＥ  Ｒｅｌ．８−１３）では、ユーザ端末は、１ｍｓのＴＴＩを用いて、ＤＬ及び／又はＵＬの通信を行う。１ｍｓのＴＴＩは、１ｍｓの時間長を有する。１ｍｓのＴＴＩは、ＴＴＩ、サブフレーム、通常ＴＴＩ、ロングＴＴＩ、通常サブフレーム、ロングサブフレーム等とも呼ばれる。
【００１５】
将来の無線通信システム（例えば、ＬＴＥ  Ｒｅｌ．１４以降、５Ｇ又はＮＲなど）では、時間長の異なる複数のＴＴＩ（例えば、ロングＴＴＩ及びショートＴＴＩ）をサポートすることが検討されている。ロングＴＴＩは、例えば、既存のＬＴＥシステムと同一の１ｍｓのＴＴＩ長を有し、通常サイクリックプリフィクス（ＣＰ）の場合１４シンボルを含んでもよい。ショートＴＴＩは、ロングＴＴＩよりも短いＴＴＩ長を有し、例えば、通常ＣＰの場合、２、３又は７シンボルを含んでもよい。
【００１６】
また、将来の無線通信システムでは、同一キャリア内で時間長が異なる複数のＴＴＩ（例えば、ロングＴＴＩ及びショートＴＴＩ）が切り替えられることが想定される。当該複数のＴＴＩ間の切り替えは、上位レイヤシグナリング（例えば、ＲＲＣ（Radio  Resource  Control）シグナリング）により準静的に行われることが想定される。
【００１７】
また、当該複数のＴＴＩ間の切り替えは、Ｌ１／Ｌ２シグナリング（例えば、ＭＡＣシグナリング及び／又は物理チャネル（例えば、下りリンク制御情報（ＤＣＩ：Downlink  Control  Information）））により動的に行われることが想定される。Ｌ１／Ｌ２シグナリングを用いる場合、ＲＲＣの再設定を行わずに当該複数のＴＴＩを切り替えることができるので、迅速な切り替えを実現できる。
【００１８】
ところで、既存のＬＴＥシステム（例えば、ＬＴＥ  Ｒｅｌ．１３以前）では、ＵＬ信号の送信電力は、開ループ制御と閉ループ制御との双方を用いて制御される。開ループ制御は、ユーザ端末と無線基地局との間の伝搬損失（パスロス：path  loss）と目標受信電力とに基づく制御（例えば、パスロスが小さいほど送信電力を増大させるフラクショナルＴＰＣ）である。開ループ制御は、ユーザ端末によって算出されるパスロスと無線基地局から上位レイヤシグナリングにより通知されるパラメータとに基づいて行われる。
【００１９】
一方、閉ループ制御は、送信電力誤差を補正するための制御であり、無線基地局から動的に通知される送信電力制御（ＴＰＣ：Transmission  Power  Control）コマンドに基づいて行われる。ＴＰＣコマンドは、ＤＣＩに含まれる。
【００２０】
例えば、既存のＬＴＥシステム（例えば、ＬＴＥ  Ｒｅｌ．１３以前）において、セルｃにおけるサブフレーム＃ｉにおけるＵＬデータチャネル（ＰＵＳＣＨ（Physical  Uplink  Shared  Channel））の送信電力ＰＰＵＳＣＨ，ｃ（ｉ）は、下記式（１）により決定される。
【数１】
2018207372.tif 000003
【００２１】
上記式（１）において、ＰＣＭＡＸ，ｃ（ｉ）は、ユーザ端末の最大送信電力である。ＭＰＵＳＣＨ，ｃ（ｉ）は、サブフレーム＃ｉにおいてユーザ端末に割り当てられるＰＵＳＣＨ用の帯域幅（例えば、リソースブロック数）である。また、Ｐ０＿ＰＵＳＣＨ，ｃは、目標受信電力に係るパラメータ（例えば、送信電力オフセットに関するパラメータ、送信電力オフセットＰ０、又は、目標受信電力パラメータ等ともいう）である。αｃは、フラクショナルＴＰＣの重み係数（パスロスに応じて設定される係数）である。
【００２２】
また、ＰＬｃは、ユーザ端末が下り参照信号の受信電力（例えば、ＲＳＲＰ：Reference  Signal  Received  Power）に基づいて算出するパスロスである。ΔＴＦ，ｃ（ｉ）は、ＰＵＳＣＨに適用される変調方式及び符号化率（ＭＣＳ：Modulation  and  Coding  Scheme）に基づくオフセットである。
【００２３】
上記開ループ制御は、ＭＰＵＳＣＨ，ｃ（ｉ）、Ｐ０＿ＰＵＳＣＨ，ｃ、αｃ、ＰＬｃ、ΔＴＦ，ｃ（ｉ）に基づいて行われる。なお、Ｐ０＿ＰＵＳＣＨ，ｃ及びαｃは、スケジューリングされるＰＵＳＣＨの種類（例えば、セミパーシステントスケジューリング用、ダイナミックスケジューリング用又はランダムアクセス応答用）に応じて異なる値が設定される。
【００２４】
また、上記閉ループ制御は、ｆｃ（ｉ）に基づいて行われる。ｆｃ（ｉ）は、ＴＰＣコマンドによる補正値である。補正値ｆｃ（ｉ）は、ＴＰＣコマンドが示す送信電力の増減値を累積した累積値（accumulation  value）であってもよいし（累積モード）、又は、ＴＰＣコマンドが示す送信電力の増減値（absolute  value）であってもよい（非累積モード）。累積値又は絶対値のいずれを用いるか（累積モード又は非累積モード）は、上位レイヤシグナリングによりユーザ端末に設定（configure）される。
【００２５】
ここで、補正値ｆ（ｉ）が累積値（累積モード）である場合、ｆ（ｉ）は、例えば、下記式（２）によって与えられる。
【数２】
2018207372.tif 000004
【００２６】
式（２）において、δＰＵＳＣＨ，ｃ（ｉ−ＫＰＵＳＣＨ）は、サブフレーム（ｉ−ＫＰＵＳＣＨ）のＤＣＩに含まれるＴＰＣコマンドが示す送信電力の増減値である。式（２）では、サブフレーム＃ｉにおける補正値ｆｃ（ｉ）が、サブフレーム（ｉ−１）における補正値ｆｃ（ｉ−１）と上記ＴＰＣコマンドが示す増減値δＰＵＳＣＨ，ｃ（ｉ−ＫＰＵＳＣＨ）とに基づいて算出される。これにより、ＴＰＣコマンドの増減値が累積される。
【００２７】
一方、補正値ｆｃ（ｉ）が、ＴＰＣコマンドが示す送信電力の増減値そのもの（非累積モード）である場合、ｆｃ（ｉ）は、例えば、下記式（３）によって与えられる。
【数３】
2018207372.tif 000005
【００２８】
式（３）において、δＰＵＳＣＨ，ｃ（ｉ−ＫＰＵＳＣＨ）は、サブフレーム（ｉ−ＫＰＵＳＣＨ）のＤＣＩに含まれるＴＰＣコマンドが示す送信電力の増減値である。このように、非累積モードにおいては、式（２）とは異なり、ｆｃ（ｉ−１）は考慮されない。
【００２９】
なお、上記ＰＣＭＡＸ，ｃ（ｉ）、ＭＰＵＳＣＨ，ｃ（ｉ）、ＰＬｃ、ΔＴＦ，ｃ（ｉ）、ｆｃ（ｉ）は、それぞれ、セルｃ、サブフレーム＃ｉの添え字を除いて、単に、ＰＣＭＡＸ、ＭＰＵＳＣＨ、Ｐ０＿ＰＵＳＣＨ、α、ＰＬ、ΔＴＦ、ｆと表記されてもよい。
【００３０】
以上のように、既存のＬＴＥシステム（例えば、ＬＴＥ  Ｒｅｌ．１３以前）では、１ｍｓのＴＴＩ（サブフレーム）だけが用いられることを想定して、上記式（１）を用いてサブフレーム＃ｉ毎のＰＵＳＣＨの送信電力が制御される。また、ユーザ端末に累積モードが設定される場合、サブフレーム＃ｉに基づいてＴＰＣコマンドが累積される。
【００３１】
一方、将来の無線通信システム（例えば、ＬＴＥ  Ｒｅｌ．１４以降、５Ｇ又はＮＲなど）では、時間長の異なる複数のＴＴＩ（例えば、ロングＴＴＩ及びショートＴＴＩ）が動的に切り替えられることが想定される。このため、将来の無線通信システムには、１ｍｓのＴＴＩだけを想定したＵＬ信号の送信電力制御が適合しないことが想定される。
【００３２】
例えば、ロングＴＴＩ及びショートＴＴＩが動的に切り替えられる場合、上記式（２）によるとサブフレーム＃ｉ（１ｍｓのＴＴＩ）毎にＴＰＣコマンドが累積される（ＴＰＣコマンドが示す増減値が累積される）ため、ロングＴＴＩ及びショートＴＴＩそれぞれにおけるＴＰＣコマンドの累積（accumulation）を適切に制御できない恐れがある。
【００３３】
そこで、本発明者らは、時間長の異なる複数のＴＴＩ（例えば、ロングＴＴＩ及びショートＴＴＩ）におけるＴＰＣコマンドの累積を適切に制御することで、複数のＴＴＩにおけるＵＬ信号の送信電力を適切に制御することを着想した。
【００３４】
以下、本実施の形態について説明する。以下では、時間長が異なる複数のＴＴＩとしてロングＴＴＩ及びショートＴＴＩを例示するが、時間長が異なる３種類以上のＴＴＩが同一キャリア内で切り替えられてもよいことは勿論である。
【００３５】
なお、ショートＴＴＩを構成するシンボル数は、例えば、２、４、５、６、７などであるが、これらに限られない。また、複数のショートＴＴＩ間でＰＵＳＣＨの復調用の参照信号（ＤＭＲＳ：Demodulation  Reference  Signal）が共用されてもよい。
【００３６】
（第１の態様）
第１の態様では、ロングＴＴＩ及び／又はショートＴＴＩにおいてＴＰＣコマンドの累積制御について説明する。
【００３７】
図１は、同一キャリア内におけるショートＴＴＩ及びロングＴＴＩの動的な切り替えの一例を示す図である。図１Ａでは、同一キャリア内でロングＴＴＩがショートＴＴＩに動的に切り替えられる。一方、図１Ｂでは、ショートＴＴＩがロングＴＴＩに動的に切り替えられる。図１Ａ及び１Ｂに示すように、ロングＴＴＩ及びショートＴＴＩにおけるＰＵＳＣＨの送信電力は、それぞれ異なるＴＰＣコマンドに基づいて制御されてもよい。
【００３８】
具体的には、ロングＴＴＩ＃ｉにおけるＰＵＳＣＨ（ロングＰＵＳＣＨ等ともいう）の送信電力は、ロングＰＵＳＣＨ用のＴＰＣコマンドに基づいて制御されてもよい（閉ループ制御）。当該ロングＰＵＳＣＨ用のＴＰＣコマンドは、当該ロングＰＵＳＣＨをスケジューリングするＤＣＩに含まれてもよい。
【００３９】
また、ロングＰＵＳＣＨの送信電力は、ユーザ端末の最大送信電力（ＰＭＡＸ（ｉ））、ロングＴＴＩ＃ｉにおいてユーザ端末に割り当てられるロングＰＵＳＣＨの帯域幅（リソースブロック数）（ＭＰＵＳＣＨ（ｉ））、送信電力オフセットＰ０（Ｐ０＿ＰＵＳＣＨ）、パスロスに基づく重み係数（α）、パスロス（ＰＬ）、ＭＣＳに基づくオフセット（ΔＴＦ，ｃ（ｉ））、ＴＰＣコマンド（ｆ（ｉ））の少なくとも一つに基づいて制御されてもよい。
【００４０】
例えば、ロングＰＵＳＣＨの送信電力は、上記式（１）を用いて決定されてもよい。なお、上記式（１）におけるサブフレーム＃ｉは、ロングＴＴＩ＃ｉと言い換えることができる。また、ロングＴＴＩ＃ｉの時間長は、サブフレーム＃ｉのように、１ｍｓに限られず、ショートＴＴＩよりも長ければよい。
【００４１】
また、ショートＴＴＩ＃ｊにおけるＰＵＳＣＨ（ショートＰＵＳＣＨ又はｓＰＵＳＣＨ等ともいう）の送信電力は、当該ショートＰＵＳＣＨ用のＴＰＣコマンドに基づいて制御されてもよい。当該ショートＰＵＳＣＨ用のＴＰＣコマンドは、当該ショートＰＵＳＣＨをスケジューリングするＤＣＩに含まれてもよい。
【００４２】
また、ショートＰＵＳＣＨ＃ｊの送信電力は、ユーザ端末の最大送信電力（ＰＭＡＸ（ｊ））、ショートＴＴＩ＃ｊにおいてユーザ端末に割り当てられるショートＰＵＳＣＨの帯域幅（リソースブロック数）（ＭｓＰＵＳＣＨ（ｊ））、送信電力オフセットＰ０（Ｐ０＿ＰＵＳＣＨ）、パスロスに基づく重み係数（α）、パスロス（ＰＬ）、ＭＣＳに基づくオフセット（ΔＴＦ，ｃ（ｊ））、ＴＰＣコマンド（ｆｃ（ｊ））の少なくとも一つに基づいて制御されてもよい。
【００４３】
例えば、セルｃにおけるショートＰＵＳＣＨ＃ｊの送信電力は、下記式（４）を用いて決定されてもよい。
【数４】
2018207372.tif 000006
【００４４】
なお、送信電力オフセットＰ０（Ｐ０＿ＰＵＳＣＨ）、パスロスに基づく重み係数（α）、ＴＰＣコマンドに基づく補正値（ｆｃ（ｉ））は、ロングＴＴＩ及びショートＴＴＩ間で共用（share）されてもよいし、それぞれ別々に設定されてもよい。
【００４５】
図１Ａ及び１Ｂに示すように、同一キャリア内においてショートＴＴＩ及びロングＴＴＩが動的に切り替えられる場合、ロングＰＵＳＣＨのＴＰＣコマンドの累積及びショートＰＵＳＣＨのＴＰＣコマンドの累積は、それぞれ、図２に示すように、アクティブ化（Activated）又は非アクティブ化（De-activated）されてもよい。当該アクティブ化は上記累積モードと言い換えることができ、非アクティブ化は上記非累積モードと言い換えることができる。
【００４６】
＜ケース１＞
図２のケース１に示されるように、ロングＰＵＳＣＨのＴＰＣコマンドの累積及びショートＰＵＳＣＨのＴＰＣコマンドの累積の双方がアクティブ化される場合、ユーザ端末は、ロングＰＵＳＣＨ用のＴＰＣコマンド及びショートＰＵＳＣＨ用のＴＰＣコマンドを共通に累積してもよいし（ＴＰＣコマンドを共用する）、或いは、独立に累積してもよい（ＴＰＣコマンドを共用しない）。
【００４７】
≪ＴＰＣコマンドを共通に累積する場合≫
ロングＴＴＩ及びショートＴＴＩ間でＴＰＣコマンドを共通に累積する（共用する）場合、ロングＴＴＩ及びショートＴＴＩのＴＰＣコマンドに基づく補正値（累積値）ｆｃ（ｉ）は、例えば、上記式（２）によって与えられてもよい。なお、上記式（２）におけるサブフレーム＃ｉは、ロングＴＴＩ＃ｉ又はショートＴＴＩ＃ｉと言い換えることができる。
【００４８】
図３は、第１の態様のケース１に係るＴＰＣコマンドの累積制御の一例を示す図である。図３Ａでは、ロングＴＴＩ及びショートＴＴＩ間でＴＰＣコマンドを共用する場合が示される。図３Ａに示すように、ロングＴＴＩ及びショートＴＴＩが動的に切り替えられる場合でも、ロングＴＴＩ及びショートＴＴＩのＴＰＣコマンドは、共通に累積されてもよい。
【００４９】
例えば、図３Ａでは、ロングＴＴＩ＃ｉ及びショートＴＴＩ＃ｉ＋１における補正値（累積値）は、それぞれ、上記式（２）により与えられる。具体的には、図３Ａにおいて、ショートＴＴＩ＃ｉ＋１の補正値ｆｃ（ｉ＋１）は、ロングＴＴＩ＃ｉの補正値ｆｃ（ｉ）と、ショートＴＴＩ＃ｉ＋１のショートＰＵＳＣＨ用のＴＰＣコマンドが示す増減値とを加算したものであってもよい。
【００５０】
ロングＴＴＩ及びショートＴＴＩ間でＴＰＣコマンドを共用する場合、ロングＰＵＳＣＨ及びショートＰＵＳＣＨのＴＰＣコマンドが共通に累積されるので、ショートＴＴＩ及びロングＴＴＩが動的に切り替えられる場合でも、ロングＰＵＳＣＨ及びショートＰＵＳＣＨのＴＰＣコマンドの累積制御を容易に行うことができる。
【００５１】
≪ＴＰＣコマンドを独立に累積する場合≫
ロングＴＴＩ及びショートＴＴＩ間でＴＰＣコマンドをそれぞれ独立に累積する場合、ロングＴＴＩ＃ｉのＴＰＣコマンドに基づく補正値（累積値）ｆｃ（ｉ）は、例えば、上記式（２）によって与えられてもよい。なお、上記式（２）におけるサブフレーム＃ｉは、ロングＴＴＩ＃ｉと言い換えることができる。一方、ショートＴＴＩ＃ｊのＴＰＣコマンドに基づく補正値（累積値）ｆｃ，ｓＴＴＩ（ｊ）は、例えば、下記式（５）によって与えられてもよい。
【数５】
2018207372.tif 000007
【００５２】
式（５）において、δｓＰＵＳＣＨ，ｃ（ｊ−ＫｓＰＵＳＣＨ）は、ショートＴＴＩ＃ｊのショートＰＵＳＣＨ用のＴＰＣコマンドが示す送信電力の増減値である。当該ショートＰＵＳＣＨ用のＴＰＣコマンドは、当該ショートＰＵＳＣＨをスケジューリングするＤＣＩに含まれてもよい。式（５）では、ショートＴＴＩ＃ｊにおける補正値ｆｃ，ｓＴＴＩ（ｊ）が、ショートＴＴＩ＃（ｊ−１）における補正値ｆｃ，ｓＴＴＩ（ｊ−１）と上記ＴＰＣコマンドが示す増減値δｓＰＵＳＣＨ，ｃ（ｊ−ＫｓＰＵＳＣＨ）とに基づいて算出されてもよい。
【００５３】
図３Ｂでは、ロングＴＴＩ及びショートＴＴＩ間でＴＰＣコマンドをそれぞれ独立に累積する場合が示される。例えば、図３Ｂでは、ロングＴＴＩ＃ｉの補正値（累積値）ｆｃ（ｉ）及びショートＴＴＩ＃ｊの補正値（累積値）ｆｃ，ｓＴＴＩ（ｊ）がそれぞれ独立に制御される。
【００５４】
図３Ｂに示すように、ロングＴＴＩ＃ｉの補正値ｆｃ（ｉ）は、例えば、上記式（２）により与えられてもよい。また、ショートＴＴＩ＃ｊの補正値ｆｃ，ｓＴＴＩ（ｊ）は、例えば、上記式（５）により与えられてもよい。なお、図３Ｂにおいて、ショートＴＴＩ＃ｊ−１は、不図示である。
【００５５】
ロングＴＴＩ及びショートＴＴＩ間でＴＰＣコマンドをそれぞれ独立に累積する場合、ショートＴＴＩ及びロングＴＴＩが動的に切り替えられる場合でも、ショートＰＵＳＣＨ及びロングＰＵＳＣＨそれぞれに応じた送信電力に制御できる。
【００５６】
＜ケース２＞
図２のケース２に示されるように、ロングＰＵＳＣＨのＴＰＣコマンドの累積がアクティブ化されるが、ショートＰＵＳＣＨのＴＰＣコマンドの累積が非アクティブ化される場合、ユーザ端末は、ロングＰＵＳＣＨ用のＴＰＣコマンドを累積し、ショートＰＵＳＣＨ用のＴＰＣコマンドを累積しなくともよい。
【００５７】
ケース２では、ロングＴＴＩ＃ｉのロングＰＵＳＣＨ用のＴＰＣコマンドに基づく補正値（累積値）ｆｃ（ｉ）は、ショートＴＴＩ＃ｊのショートＰＵＳＣＨ用のＴＰＣコマンドに基づいて決定されてもよい。例えば、当該補正値（累積値）ｆｃ（ｉ）は、下記式（６）によって与えられてもよい。なお、下記式（６）において、ｆｃ（ｉ）は、ｆｃ（ｉ，ｊ）と表記されてもよい。
【数６】
2018207372.tif 000008
【００５８】
式（６）において、δＰＵＳＣＨ，ｃ（ｉ−ＫＰＵＳＣＨ）は、ロングＴＴＩ＃ｉのロングＰＵＳＣＨ用のＴＰＣコマンドが示す送信電力の増減値である。当該ロングＰＵＳＣＨ用のＴＰＣコマンドは、当該ロングＰＵＳＣＨをスケジューリングするＤＣＩに含まれてもよい。
【００５９】
ここで、ｆｃ，ｓＴＴＩ（ｊ）は、ロングＴＴＩ＃ｉへの切り替える前のショートＴＴＩ＃ｊ（切り替えから所定数前のショートＴＴＩでもよい）のショートＰＵＳＣＨ用のＴＰＣコマンドに基づく補正値である。ケース２では、ショートＰＵＳＣＨ用のＴＰＣコマンドは累積されないので、当該補正値ｆｃ，ｓＴＴＩ（ｊ）は、例えば、下記式（７）によって与えられてもよい。
【数７】
2018207372.tif 000009
【００６０】
式（７）において、δｓＰＵＳＣＨ，ｃ（ｊ−ＫｓＰＵＳＣＨ）は、ショートＴＴＩ＃ｊのショートＰＵＳＣＨ用のＴＰＣコマンドが示す送信電力の増減値（絶対値）である。すなわち、補正値ｆｃ，ｓＴＴＩ（ｊ）は、ショートＴＴＩ＃ｊのショートＰＵＳＣＨ用のＴＰＣコマンドが示す送信電力の増減値そのものである。
【００６１】
或いは、ケース２では、ロングＴＴＩ＃ｉのロングＰＵＳＣＨ用のＴＰＣコマンドに基づく補正値ｆｃ（ｉ）は、例えば、上記式（２）によって与えられてもよい。なお、上記式（２）におけるサブフレーム＃ｉは、ロングＴＴＩ＃ｉと言い換えることができる。
【００６２】
図４は、第１の態様のケース２に係るＴＰＣコマンドの累積制御の一例を示す図である。図４に示すように、ケース２では、ショートＰＵＳＣＨ用のＴＰＣコマンドは累積されないので、ショートＴＴＩ＃ｊの補正値ｆｃ，ｓＴＴＩ（ｊ）は、例えば、上記式（７）に示されるように、ショートＴＴＩ＃ｊのショートＰＵＳＣＨ用のＴＰＣコマンドが示す増減値そのものであってもよい。
【００６３】
また、図４に示すように、ショートＴＴＩ＃ｊからロングＴＴＩ＃ｉへの切り替えが動的に行われる場合、ロングＴＴＩ＃ｉの補正値ｆｃ（ｉ）は、例えば、上記式（６）又は上記式（２）によって与えられてもよい。
【００６４】
また、ロングＴＴＩ＃ｉ＋１の補正値ｆｃ（ｉ＋１）は、例えば、上記式（２）によって与えられてもよい。具体的には、ロングＴＴＩ＃ｉ＋１の補正値ｆｃ（ｉ＋１）は、ロングＴＴＩ＃ｉの補正値ｆｃ（ｉ）と、ロングＴＴＩ＃ｉ＋１のロングＰＵＳＣＨ用のＴＰＣコマンドが示す増減値とを加算したものであってもよい。
【００６５】
ケース２では、ショートＴＴＩ＃ｊからロングＴＴＩ＃ｉへの切り替えが動的に行われる場合に、切り替え直後のロングＴＴＩ＃ｉのロングＰＵＳＣＨの送信電力が、例えば、式（６）によると、切り替え前のショートＴＴＩ＃ｊのショートＰＵＳＣＨのＴＰＣコマンドに基づいて補正される。このため、切り替え直後のロングＴＴＩ＃ｉのロングＰＳＵＣＨの送信電力を適切に制御できる。
【００６６】
＜ケース３＞
図２のケース３に示されるように、ロングＰＵＳＣＨのＴＰＣコマンドの累積が非アクティブ化されるが、ショートＰＵＳＣＨのＴＰＣコマンドの累積がアクティブ化される場合、ユーザ端末は、ロングＰＵＳＣＨ用のＴＰＣコマンドを累積せずに、ショートＰＵＳＣＨ用のＴＰＣコマンドを累積してもよい。
【００６７】
ケース３では、ロングＰＵＳＣＨ用のＴＰＣコマンドは累積されないので、ロングＴＴＩ＃ｉのロングＰＵＳＣＨ用のＴＰＣコマンドに基づく補正値ｆｃ（ｉ）は、例えば、上記式（３）によって与えられてもよい。なお、上記式（３）におけるサブフレーム＃ｉは、ロングＴＴＩ＃ｉと言い換えることができる。
【００６８】
一方、ショートＴＴＩ＃ｊのショートＰＵＳＣＨ用のＴＰＣコマンドに基づく補正値ｆｃ，ｓＴＴＩ（ｊ）は、ロングＴＴＩ＃ｉのロングＰＵＳＣＨ用のＴＰＣコマンドに基づいて決定されてもよい。例えば、当該補正値ｆｃ，ｓＴＴＩ（ｊ）は、下記式（８）によって与えられてもよい。なお、下記式（８）のδｓＰＵＳＣＨ，ｃ（ｊ−ＫｓＰＵＳＣＨ）は、式（５）で説明した通りである。また、下記式（８）において、ｆｃ，ｓＴＴＩ（ｉ）は、ｆｃ，ｓＴＴＩ（ｉ，ｊ）と表記されてもよい。
【数８】
2018207372.tif 000010
【００６９】
ここで、ｆｃ（ｉ）は、ショートＴＴＩ＃ｊへの切り替え前のロングＴＴＩ＃ｉ（切り替えから所定数前のロングＴＴＩでもよい）のロングＰＵＳＣＨ用のＴＰＣコマンドに基づく補正値である。上述のように、当該補正値ｆｃ（ｉ）は、例えば、上記式（３）で与えられる。すなわち、補正値ｆｃ（ｉ）は、ロングＴＴＩ＃ｉのロングＰＵＳＣＨ用のＴＰＣコマンドが示す送信電力の増減値そのものである。
【００７０】
或いは、ケース３では、ショートＴＴＩ＃ｊのショートＰＵＳＣＨ用のＴＰＣコマンドに基づく補正値ｆｃ，ｓＴＴＩ（ｊ）は、例えば、上記式（５）によって与えられてもよい。
【００７１】
図５は、第１の態様のケース３に係るＴＰＣコマンドの累積制御の一例を示す図である。図５に示すように、ケース３では、ロングＰＵＳＣＨ用のＴＰＣコマンドは累積されないので、ロングＴＴＩ＃ｉの補正値ｆｃ（ｉ）は、例えば、上記式（３）に示されるように、ＴＰＣコマンドが示す増減値そのものであってもよい。
【００７２】
また、図５に示すように、ロングＴＴＩｉからショートＴＴＩ＃ｊへの切り替えが動的に行われる場合、ショートＴＴＩ＃ｊの補正値ｆｃ，ｓＴＴＩ（ｊ）は、例えば、上記式（８）又は上記式（５）によって与えられてもよい。
【００７３】
また、ショートＴＴＩ＃ｊ＋１の補正値ｆｃ，ｓＴＴＩ（ｊ＋１）は、例えば、上記式（５）によって与えられてもよい。具体的には、ショートＴＴＩ＃ｊ＋１の補正値ｆｃ，ｓＴＴＩ（ｊ＋１）は、ショートＴＴＩ＃ｊの補正値ｆｃ，ｓＴＴＩ（ｊ）と、ショートＴＴＩ＃ｊ＋１のショートＰＵＳＣＨ用のＴＰＣコマンドが示す増減値とを加算したものであってもよい。
【００７４】
ケース３では、ロングＴＴＩ＃ｉからショートＴＴＩ＃ｊへの切り替えが動的に行われる場合に、切り替え直後のショートＴＴＩ＃ｊのショートＰＵＳＣＨの送信電力が、例えば、式（８）によると、切り替え前のロングＴＴＩ＃ｉのロングＰＵＳＣＨのＴＰＣコマンドに基づいて補正される。このため、切り替え直後のショートＴＴＩ＃ｊのショートＰＳＵＣＨの送信電力を適切に制御できる。
【００７５】
＜ケース４＞
図２のケース４に示されるように、ロングＰＵＳＣＨのＴＰＣコマンドの累積及びショートＰＵＳＣＨのＴＰＣコマンドの累積の双方が非アクティブ化される場合、ユーザ端末は、ロングＰＵＳＣＨ用のＴＰＣコマンド及びショートＰＵＳＣＨ用のＴＰＣコマンドをそれぞれ累積しなくともよい。
【００７６】
ケース４では、ロングＴＴＩ＃ｉのＴＰＣコマンドに基づく補正値ｆｃ（ｉ）は、例えば、上記式（３）によって与えられてもよい。なお、上記式（３）におけるサブフレーム＃ｉは、ロングＴＴＩ＃ｉと言い換えることができる。また、ショートＴＴＩ＃ｊのＴＰＣコマンドに基づく補正値ｆｃ，ｓＴＴＩ（ｊ）は、例えば、上記式（７）によって与えられてもよい。
【００７７】
図６は、第１の態様のケース４に係るＴＰＣコマンドの累積制御の一例を示す図である。図６に示すように、ケース４では、ロングＴＴＩ＃ｉの補正値ｆｃ（ｉ）は、ロングＴＴＩ＃ｉのロングＰＵＳＣＨ用のＴＰＣコマンドが示す増減値（絶対値）であってもよい。例えば、当該補正値ｆｃ（ｉ）は、上記式（３）によって与えられてもよい。
【００７８】
また、ショートＴＴＩ＃ｊの補正値ｆｃ，ｓＴＴＩ（ｊ）は、ショートＴＴＩ＃ｊのショートＰＵＳＣＨ用のＴＰＣコマンドが示す増減値（絶対値）であってもよい。例えば、当該補正値ｆｃ，ｓＴＴＩ（ｊ）は、上記式（７）によって与えられてもよい。
【００７９】
なお、図６では、ロングＴＴＩ及びショートＴＴＩ間で異なる式が示されるが、同一の式（例えば、式（３））がロングＴＴＩ及びショートＴＴＩ間で共用されてもよい。
【００８０】
ケース４では、ショートＰＵＳＣＨ用のＴＰＣコマンド及びロングＰＵＳＣＨ用のＴＰＣコマンドが累積されないので、ショートＴＴＩ及びロングＴＴＩが動的に切り替えられる場合でも、ショートＰＵＳＣＨ及びロングＰＵＳＣＨそれぞれの送信電力を適切に制御できる。
【００８１】
以上のように、第１の態様では、ロングＴＴＩ及びショートＴＴＩそれぞれにおけるＴＰＣコマンドの累積が制御されるので、ショートＴＴＩ及びロングＴＴＩが動的に切り替えられる場合でも、ショートＰＵＳＣＨ及びロングＰＵＳＣＨそれぞれの送信電力を適切に制御できる。
【００８２】
（第２の態様）
第２の態様では、ロングＴＴＩ及び／又はショートＴＴＩにおけるＴＰＣコマンドの累積のリセット制御について説明する。ユーザ端末は、以下の少なくとも一つに基づいて、当該ＴＰＣコマンドの累積値のリセットを制御してもよい。なお、累積値がリセットされる場合、累積値は初期値（例えば、０）に設定される。
・ロングＰＵＳＣＨ及びショートＰＵＳＣＨ間で、開ループ制御用のパラメータ（例えば、上記送信電力オフセットＰ０及び／又は重み係数α）が共用されるか否か
・ＴＰＣコマンドの累積値（ｆｃ（ｉ））が共用されるか否か
・上記開ループ制御用のパラメータが上位レイヤにより変更されるか否か
【００８３】
（１）開ループ制御用のパラメータが共用される場合
開ループ制御用のパラメータ（例えば、上記送信電力オフセットＰ０及び／又は重み係数α）がロングＰＵＳＣＨ及びショートＰＵＳＣＨ間で共用される場合、ユーザ端末は、ＴＰＣコマンドの累積値（ｆｃ（ｉ））がロングＰＵＳＣＨ及びショートＰＵＳＣＨ間で共用されるか否か（ロングＰＵＳＣＨ用のＴＰＣコマンド及びショートＰＵＳＣＨ用のＴＰＣコマンドがそれぞれ独立に累積されるか否か）に基づいて、当該ＴＰＣコマンドの累積値のリセットを制御してもよい（下記（１−１）又は（１−２））。
【００８４】
（１−１）ＴＰＣコマンドの累積値が共用される場合
ＴＰＣコマンドの累積値（ｆｃ（ｉ））がロングＰＵＳＣＨ及びショートＰＵＳＣＨ間で共用される場合、ロングＰＵＳＣＨ及びショートＰＵＳＣＨ間で共通の開ループ制御用のパラメータが上位レイヤにより変更されれば、ユーザ端末は、当該累積値（ｆｃ（ｉ））をリセットしてもよい。例えば、ユーザ端末は、ロングＰＵＳＣＨ及びショートＰＵＳＣＨ間で共通の送信電力オフセットＰ０が上位レイヤにより変更される場合、当該累積値（ｆｃ（ｉ））をリセットしてもよい。
【００８５】
（１−２）ＴＰＣコマンドの累積値が共用されない場合
ロングＰＵＳＣＨ用のＴＰＣコマンド及びショートＰＵＳＣＨ用のＴＰＣコマンドがそれぞれ独立に累積される場合、ロングＰＵＳＣＨ及びショートＰＵＳＣＨ間で共通の開ループ制御用のパラメータが上位レイヤにより変更されるなら、ユーザ端末は、ロングＰＵＳＣＨ用のＴＰＣコマンドの累積値（ｆｃ（ｉ））をリセットする一方、ショートＰＵＳＣＨ用のＴＰＣコマンドの累積値（ｆｃ，ｓＴＴＩ（ｊ））をリセットしなくともよい。
【００８６】
例えば、ユーザ端末は、ロングＰＵＳＣＨ及びショートＰＵＳＣＨ間で共通の送信電力オフセットＰ０が上位レイヤにより変更される場合、ロングＰＵＳＣＨ用のＴＰＣコマンドの累積値（ｆｃ（ｉ））をリセットする一方、ショートＰＵＳＣＨ用のＴＰＣコマンドの累積値（ｆｃ，ｓＴＴＩ（ｊ））をリセットしなくともよい。
【００８７】
或いは、ロングＰＵＳＣＨ及びショートＰＵＳＣＨ間でＴＰＣコマンドの累積値が独立に累積される場合、ロングＰＵＳＣＨ及びショートＰＵＳＣＨ間で共通の開ループ制御用のパラメータが上位レイヤにより変更されるなら、ユーザ端末は、ロングＰＵＳＣＨ用のＴＰＣコマンドの累積値（ｆｃ（ｉ））をリセットし、かつ、ショートＰＵＳＣＨ用のＴＰＣコマンドの累積値（ｆｃ，ｓＴＴＩ（ｊ））もリセットしてもよい。
【００８８】
例えば、ユーザ端末は、ロングＰＵＳＣＨ及びショートＰＵＳＣＨ間で共通の送信電力オフセットＰ０が上位レイヤにより変更される場合、ロングＰＵＳＣＨ用のＴＰＣコマンドの累積値（ｆｃ（ｉ））をリセットし、かつ、ショートＰＵＳＣＨ用のＴＰＣコマンドの累積値（ｆｃ，ｓＴＴＩ（ｊ））をリセットしてもよい。
【００８９】
（２）開ループ制御用のパラメータが共用されない場合
開ループ制御用のパラメータ（例えば、上記送信電力オフセットＰ０及び／又は重み係数α）がロングＰＵＳＣＨ及びショートＰＵＳＣＨ間で共用されない（それぞれ独立に設定される）場合、ユーザ端末は、ＴＰＣコマンドの累積値（ｆｃ（ｉ））がロングＰＵＳＣＨ及びショートＰＵＳＣＨ間で共用されるか否か（ロングＰＵＳＣＨ用のＴＰＣコマンド及びショートＰＵＳＣＨ用のＴＰＣコマンドがそれぞれ独立に累積されるか否か）に基づいて、当該ＴＰＣコマンドの累積値のリセットを制御してもよい（下記（２−１）又は（２−２））。
【００９０】
（２−１）ＴＰＣコマンドの累積値が共用される場合
ロングＰＵＳＣＨ及びショートＰＵＳＣＨ間でＴＰＣコマンドの累積値（ｆｃ（ｉ））が共用される場合、ロングＰＵＳＣＨの開ループ制御用のパラメータが上位レイヤにより変更されれば、ユーザ端末は、当該累積値（ｆｃ（ｉ））をリセットしてもよい。例えば、ユーザ端末は、ロングＰＵＳＣＨの送信電力オフセットＰ０が上位レイヤにより変更される場合、当該累積値（ｆｃ（ｉ））をリセットしてもよい。
【００９１】
或いは、ロングＰＵＳＣＨ及びショートＰＵＳＣＨ間でＴＰＣコマンドの累積値（ｆｃ（ｉ））が共用される場合、ショートＰＵＳＣＨの開ループ制御用のパラメータが上位レイヤにより変更されれば、ユーザ端末は、当該累積値（ｆｃ（ｉ））をリセットしてもよい。例えば、ユーザ端末は、ショートＰＵＳＣＨの送信電力オフセットＰ０が上位レイヤにより変更される場合、当該累積値（ｆｃ（ｉ））をリセットしてもよい。
【００９２】
（２−２）ＴＰＣコマンドの累積値が共用されない場合
ロングＰＵＳＣＨ用のＴＰＣコマンド及びショートＰＵＳＣＨ用のＴＰＣコマンドがそれぞれ独立に累積される場合に、ロングＰＵＳＣＨの開ループ制御用のパラメータが上位レイヤにより変更されれば、ユーザ端末は、ロングＰＵＳＣＨ用のＴＰＣコマンドの累積値（ｆｃ（ｉ））をリセットしてもよい。例えば、ユーザ端末は、ロングＰＵＳＣＨの送信電力オフセットＰ０が上位レイヤにより変更される場合、当該ロングＰＵＳＣＨ用の累積値（ｆｃ（ｉ））をリセットしてもよい。
【００９３】
また、ロングＰＵＳＣＨ用のＴＰＣコマンド及びショートＰＵＳＣＨ用のＴＰＣコマンドがそれぞれ独立に累積される場合に、ショートＰＵＳＣＨの開ループ制御用のパラメータが上位レイヤにより変更されれば、ユーザ端末は、ショートＰＵＳＣＨ用のＴＰＣコマンドの累積値（ｆｃ，ｓＴＴＩ（ｊ））をリセットしてもよい。例えば、ユーザ端末は、ショートＰＵＳＣＨの送信電力オフセットＰ０が上位レイヤにより変更される場合、当該ショートＰＵＳＣＨ用の累積値（ｆｃ，ｓＴＴＩ（ｊ））をリセットしてもよい。
【００９４】
また、ロングＰＵＳＣＨ用のＴＰＣコマンド及びショートＰＵＳＣＨ用のＴＰＣコマンドがそれぞれ独立に累積される場合に、ロングＰＵＳＣＨの開ループ制御用のパラメータが上位レイヤにより変更されれば、ユーザ端末は、ロングＰＵＳＣＨ用のＴＰＣコマンドの累積値（ｆｃ（ｉ））及びショートＰＵＳＣＨ用のＴＰＣコマンドの累積値（ｆｃ，ｓＴＴＩ（ｊ））の双方をリセットしてもよい。例えば、ユーザ端末は、ロングＰＵＳＣＨの送信電力オフセットＰ０が上位レイヤにより変更される場合、当該ロングＰＵＣＣＨ用の累積値（ｆｃ（ｉ））及びショートＰＵＳＣＨ用の累積値（ｆｃ，ｓＴＴＩ（ｊ））の双方をリセットしてもよい。
【００９５】
また、ロングＰＵＳＣＨ用のＴＰＣコマンド及びショートＰＵＳＣＨ用のＴＰＣコマンドがそれぞれ独立に累積される場合に、ショートＰＵＳＣＨの開ループ制御用のパラメータが上位レイヤにより変更されれば、ユーザ端末は、ロングＰＵＳＣＨ用のＴＰＣコマンドの累積値（ｆｃ（ｉ））及びショートＰＵＳＣＨ用のＴＰＣコマンドの累積値（ｆｃ，ｓＴＴＩ（ｊ））の双方をリセットしてもよい。例えば、ユーザ端末は、ショートＰＵＳＣＨの送信電力オフセットＰ０が上位レイヤにより変更される場合、当該ロングＰＵＣＣＨ用の累積値（ｆｃ（ｉ））及びショートＰＵＳＣＨ用の累積値（ｆｃ，ｓＴＴＩ（ｊ））の双方をリセットしてもよい。
【００９６】
第２の態様では、ロングＰＵＳＣＨ及び／又はショートＰＵＳＣＨにおけるＴＰＣコマンドの累積値が上記条件に基づいてリセットされるので、ショートＴＴＩ及びロングＴＴＩが動的に切り替えられる場合でも、ショートＰＵＳＣＨ及びロングＰＵＳＣＨそれぞれの送信電力を適切に制御できる。
【００９７】
（その他の態様）
以上の第１の態様で説明したＴＰＣコマンドの累積制御及び／又は第２の態様で説明したＴＰＣコマンドの累積値のリセット制御は、ロングＰＵＳＣＨ及びショートＰＵＳＣＨだけでなく、ロングＴＴＩ及びショートＴＴＩで送信されるＵＬ信号に適用可能である。
【００９８】
例えば、第１の態様の累積制御及び／又は第２の態様のリセット制御は、ロングＴＴＩで送信されるＰＵＣＣＨ（ロングＰＵＣＣＨ等ともいう）及びショートＴＴＩで送信されるＰＵＣＣＨ（ショートＰＵＣＣＨ又はｓＰＵＣＣＨ等ともいう）に適用可能である。
【００９９】
また、第１の態様の累積制御及び／又は第２の態様のリセット制御は、ロングＴＴＩで送信されるサウンディング参照信号（ＳＲＳ：Sounding  Reference  Signal）及びショートＴＴＩで送信されるＳＲＳにも適用可能である。なお、ロングＴＴＩ及びショートＴＴＩのＳＲＳの送信電力は、第１の態様で説明したロングＰＵＳＣＨ及びショートＰＵＳＣＨの送信電力に所定のオフセットを与えたものであってもよい。
【０１００】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【０１０１】
図７は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT）などと呼ばれても良い。
【０１０２】
図７に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、あるＲＡＴにおける信号のデザイン及び／又はＲＡＴのデザインを特徴付ける通信パラメータのセットであり、例えば、サブキャリア間隔、シンボル長、ＣＰ長の少なくとも一つである。
【０１０３】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１０４】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１０５】
また、各セル（キャリア）では、相対的に長い時間長（例えば、１ｍｓ）を有するサブフレーム（ＴＴＩ、通常ＴＴＩ、ロングＴＴＩ、通常サブフレーム、ロングサブフレーム、スロット等ともいう）、又は、相対的に短い時間長を有するサブフレーム（ショートＴＴＩ、ショートサブフレーム、スロット等ともいう）のいずれか一方が適用されてもよいし、ロングサブフレーム及びショートサブフレームの双方が適用されてもよい。また、各セルで、２以上の時間長のサブフレームが適用されてもよい。
【０１０６】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１０７】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１０８】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１０９】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１１０】
各ユーザ端末２０は、ＬＴＥ、ＬＴＥ−Ａなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１１１】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。また、端末間通信に用いられるサイドリンク（ＳＬ）にＳＣ−ＦＤＭＡを適用できる。
【０１１２】
無線通信システム１では、ＤＬチャネルとして、各ユーザ端末２０で共有されるＤＬデータチャネル（ＰＤＳＣＨ：Physical  Downlink  Shared  Channel、ＤＬ共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータ、上位レイヤ制御情報、ＳＩＢ（System  Information  Block）の少なくとも一つなどが伝送される。また、ＰＢＣＨにより、ＭＩＢ（Master  Information  Block）が伝送される。
【０１１３】
Ｌ１／Ｌ２制御チャネルは、ＤＬ制御チャネル（例えば、ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨ及び／又はＥＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨの送達確認情報（Ａ／Ｎ、ＨＡＲＱ−ＡＣＫ）を伝送できる。
【０１１４】
無線通信システム１では、ＵＬチャネルとして、各ユーザ端末２０で共有されるＵＬデータチャネル（ＰＵＳＣＨ：Physical  Uplink  Shared  Channel、ＵＬ共有チャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＰＤＳＣＨの送達確認情報（Ａ／Ｎ、ＨＡＲＱ−ＡＣＫ）、チャネル状態情報（ＣＳＩ）の少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１１５】
＜無線基地局＞
図８は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１１６】
下りリンクにより無線基地局１０からユーザ端末２０に送信されるユーザデータは、上位局装置３０から伝送路インターフェース１０６を介してベースバンド信号処理部１０４に入力される。
【０１１７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の処理）、スケジューリング、伝送フォーマット選択、チャネル符号化、レートマッチング、スクランブリング、逆高速フーリエ変換（ＩＦＦＴ：Inverse  Fast  Fourier  Transform）処理及びプリコーディング処理の少なくとも一つなどの送信処理が行われて送受信部１０３に転送される。また、下り制御信号に関しても、チャネル符号化及び／又は逆高速フーリエ変換などの送信処理が行われて、送受信部１０３に転送される。
【０１１８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１１９】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１２０】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１２１】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定、解放などの呼処理、無線基地局１０の状態管理、無線リソースの管理の少なくとも一つを行う。
【０１２２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１２３】
また、送受信部１０３は、ＤＬ信号（例えば、ＤＣＩ（ＤＬアサインメント及び／又はＵＬグラント）、ＤＬデータ（ＤＬデータチャネル）、ＤＬ参照信号の少なくとも一つ）を送信し、ＵＬ信号（例えば、ＵＬデータ（ＵＬデータチャネル）、ＵＣＩ、ＵＬ参照信号の少なくとも一つ）を受信する。
【０１２４】
また、送受信部１０３は、時間長が異なる複数のＴＴＩ（例えば、ロングＴＴＩ（第１のＴＴＩ）及びショートＴＴＩ（第２のＴＴＩ））においてＵＬ信号（例えば、ロングＰＵＳＣＨ、ショートＰＵＳＣＨ、ロングＰＵＣＣＨ、ショートＰＵＣＣＨ、及び、ＳＲＳの少なくとも一つ）を受信する。
【０１２５】
また、送受信部１０３は、上記ＵＬ信号の送信電力の制御に用いられるパラメータを送信する。例えば、送受信部１０３は、上位レイヤシグナリングにより、開ループ制御用のパラメータを送信してもよい。また、送受信部１０３は、ＴＰＣコマンドを含むＤＣＩを送信してもよい。
【０１２６】
図９は、本実施の形態に係る無線基地局の機能構成の一例を示す図である。なお、図９は、本実施の形態における特徴部分の機能ブロックを主に示しており、無線基地局１０は、無線通信に必要な他の機能ブロックも有しているものとする。図９に示すように、ベースバンド信号処理部１０４は、制御部３０１と、送信信号生成部３０２と、マッピング部３０３と、受信信号処理部３０４と、測定部３０５とを備えている。
【０１２７】
制御部３０１は、無線基地局１０全体の制御を実施する。制御部３０１は、例えば、送信信号生成部３０２によるＤＬ信号の生成、マッピング部３０３によるＤＬ信号のマッピング、受信信号処理部３０４によるＵＬ信号の受信処理（例えば、復調など）及び測定部３０５による測定の少なくとも一つを制御する。
【０１２８】
具体的には、制御部３０１は、ユーザ端末２０のスケジューリングを行う。具体的には、制御部３０１は、ユーザ端末２０からのＵＣＩに基づいて、ＤＬデータ及び／又はＵＬデータチャネルのスケジューリング及び／又は再送制御を行ってもよい。
【０１２９】
また、制御部３０１は、ＤＬ信号の受信及び／又はＵＬ信号の送信に用いられる伝送時間間隔（ＴＴＩ）を制御する。制御部３０１は、時間長の異なる複数のＴＴＩ（例えば、ロングＴＴＩ及びショートＴＴＩ）の切り替えを制御する。制御部３０１は、上位レイヤシグナリング及び／又はＬ１／Ｌ２シグナリングにより、当該複数のＴＴＩ間の切り替えをユーザ端末２０に指示してもよい。
【０１３０】
また、制御部３０１は、ＵＬ信号の送信電力の制御に用いられるパラメータの生成及び／又は送信を制御する。具体的には、制御部３０１は、時間長の異なる複数のＴＴＩ間で共通又は独立の開ループ制御用のパラメータの生成及び／又は送信を制御してもよい。開ループ制御用のパラメータは、ユーザ端末の最大送信電力（ＰＭＡＸ（ｉ））、ロングＴＴＩ＃ｉにおいてユーザ端末に割り当てられるロングＰＵＳＣＨの帯域幅（リソースブロック数）（ＭＰＵＳＣＨ（ｉ））、送信電力オフセットＰ０（Ｐ０＿ＰＵＳＣＨ）、パスロスに基づく重み係数（α）、パスロス（ＰＬ）、ＭＣＳに基づくオフセット（ΔＴＦ，ｃ（ｉ））の少なくとも一つであってもよい。
【０１３１】
また、制御部３０１は、閉ループ制御用のパラメータ（例えば、ＴＰＣコマンド）の生成及び／又は送信を制御してもよい。制御部３０１は、時間長の異なる複数のＴＴＩ間で独立のＴＰＣコマンド（例えば、ロングＰＵＳＣＨ用のＴＰＣコマンド及びショートＰＵＳＣＨ用のＴＰＣコマンド）の生成及び／又は送信を制御してもよい。
【０１３２】
また、制御部３０１は、ＴＰＣコマンドの累積のアクティブ化又は非アクティブ化をユーザ端末に指示してもよい。
【０１３３】
制御部３０１は、本発明に係る技術分野での共通認識に基づいて説明されるコントローラ、制御回路又は制御装置から構成することができる。
【０１３４】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【０１３５】
送信信号生成部３０２は、本発明に係る技術分野での共通認識に基づいて説明される信号生成器、信号生成回路又は信号生成装置とすることができる。
【０１３６】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１３７】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号及び／又は受信処理後の信号を、測定部３０５に出力してもよい。また、受信信号処理部３０４は、制御部３０１から指示されるＵＬ制御チャネル構成に基づいて、ＵＣＩの受信処理を行う。
【０１３８】
測定部３０５は、受信した信号に関する測定を実施する。測定部３０５は、本発明に係る技術分野での共通認識に基づいて説明される測定器、測定回路又は測定装置から構成することができる。
【０１３９】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１４０】
＜ユーザ端末＞
図１０は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１４１】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１４２】
ベースバンド信号処理部２０４は、入力されたベースバンド信号に対して、ＦＦＴ処理、誤り訂正復号、再送制御の受信処理などの少なくとも一つを行う。ＤＬデータは、アプリケーション部２０５に転送される。アプリケーション部２０５は、物理レイヤ及びＭＡＣレイヤより上位のレイヤに関する処理などを行う。
【０１４３】
一方、ＵＬデータについては、アプリケーション部２０５からベースバンド信号処理部２０４に入力される。ベースバンド信号処理部２０４では、再送制御処理（例えば、ＨＡＲＱの処理）、チャネル符号化、レートマッチング、パンクチャ、離散フーリエ変換（ＤＦＴ：Discrete  Fourier  Transform）処理、ＩＦＦＴ処理などの少なくとも一つが行われて各送受信部２０３に転送される。ＵＣＩ（例えば、ＤＬ信号のＡ／Ｎ、チャネル状態情報（ＣＳＩ）、スケジューリング要求（ＳＲ）の少なくとも一つなど）についても、チャネル符号化、レートマッチング、パンクチャ、ＤＦＴ処理及びＩＦＦＴ処理などの少なくとも一つが行われて各送受信部２０３に転送される。
【０１４４】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１４５】
また、送受信部２０３は、ＤＬ信号（例えば、ＤＣＩ（ＤＬアサインメント及び／又はＵＬグラント）、ＤＬデータ、ＤＬ参照信号の少なくとも一つ）を受信し、ＵＬ信号（例えば、ＵＬデータ、ＵＣＩ、ＵＬ参照信号の少なくとも一つ）を送信する。
【０１４６】
また、送受信部２０３は、時間長が異なる複数のＴＴＩ（例えば、ロングＴＴＩ（第１のＴＴＩ）及びショートＴＴＩ（第２のＴＴＩ））においてＵＬ信号（例えば、ロングＰＵＳＣＨ、ショートＰＵＳＣＨ、ロングＰＵＣＣＨ、ショートＰＵＣＣＨ、及び、ＳＲＳの少なくとも一つ）を送信する。
【０１４７】
また、送受信部２０３は、上記ＵＬ信号の送信電力の制御に用いられるパラメータを受信する。例えば、送受信部２０３は、上位レイヤシグナリングにより、開ループ制御用のパラメータを受信してもよい。また、送受信部２０３は、ＴＰＣコマンドを含むＤＣＩを受信してもよい。
【０１４８】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１４９】
図１１は、本実施の形態に係るユーザ端末の機能構成の一例を示す図である。なお、図１１においては、本実施の形態における特徴部分の機能ブロックを主に示しており、ユーザ端末２０は、無線通信に必要な他の機能ブロックも有しているものとする。図１１に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１５０】
制御部４０１は、ユーザ端末２０全体の制御を実施する。制御部４０１は、例えば、送信信号生成部４０２によるＵＬ信号の生成、マッピング部４０３によるＵＬ信号のマッピング、受信信号処理部４０４によるＤＬ信号の受信処理及び測定部４０５による測定の少なくとも一つを制御する。
【０１５１】
また、制御部４０１は、ＤＬ信号の受信及び／又はＵＬ信号の送信に用いられる伝送時間間隔（ＴＴＩ）を制御する。制御部４０１は、時間長の異なる複数のＴＴＩ（例えば、ロングＴＴＩ及びショートＴＴＩ）の切り替えを制御する。制御部４０１は、上位レイヤシグナリング及び／又はＬ１／Ｌ２シグナリングによる無線基地局１０からの指示情報により、当該複数のＴＴＩ間の切り替えを制御してもよい。
【０１５２】
また、制御部４０１は、ＵＬ信号の送信電力を制御する。具体的には、制御部４０１は、開ループ制御用のパラメータ及び／又は閉ループ制御用のパラメータに基づいて、時間長の異なる複数のＴＴＩのＵＬ信号の送信電力を制御してもよい。
【０１５３】
例えば、制御部４０１は、ユーザ端末の最大送信電力（ＰＭＡＸ（ｉ））、ロングＴＴＩ＃ｉにおいてユーザ端末に割り当てられるロングＰＵＳＣＨの帯域幅（リソースブロック数）（ＭＰＵＳＣＨ（ｉ））、送信電力オフセットＰ０（Ｐ０＿ＰＵＳＣＨ）、パスロスに基づく重み係数（α）、パスロス（ＰＬ）、ＭＣＳに基づくオフセット（ΔＴＦ，ｃ（ｉ））、ＴＰＣコマンド（ｆ（ｉ））の少なくとも一つに基づいて、ロングＰＵＳＣＨ及び／又はショートＰＵＳＣＨの送信電力を制御してもよい。なお、これらのパラメータの少なくとも一つは、ロングＰＵＳＣＨ及びショートＰＵＳＣＨに共通であってもよいし、独立に設定されてもよい。
【０１５４】
また、制御部４０１は、無線基地局１０からの指示に基づいて、時間長が異なる複数のＴＴＩのＵＬ信号（例えば、ロングＰＵＳＣＨ及びショートＰＵＳＣＨ）におけるＴＰＣコマンドの累積のアクティブ化又は非アクティブ化を制御する。
【０１５５】
また、制御部４０１は、時間長が異なる複数のＴＴＩのＵＬ信号（例えば、ロングＰＵＳＣＨ及びショートＰＵＳＣＨ）用のＴＰＣコマンドの累積を制御する。具体的には、制御部４０１は、ロングＰＵＳＣＨ（第１のＵＬ信号）用のＴＰＣコマンド及びショートＰＵＳＣＨ（第２のＵＬ信号）用のＴＰＣコマンドの累積を制御してもよい。
【０１５６】
また、制御部４０１は、ロングＰＵＳＣＨ（第１のＵＬ信号）用のＴＰＣコマンド及びショートＰＵＳＣＨ（第２のＵＬ信号）用のＴＰＣコマンドを共通に累積する、又は、独立に累積してもよい（第１の態様のケース１）。
【０１５７】
また、制御部４０１は、ロングＰＵＳＣＨ（第１のＵＬ信号）用のＴＰＣコマンド又はショートＰＵＳＣＨ（第２のＵＬ信号）用のＴＰＣコマンドのいずれかを累積してもよい（第１の態様のケース２又はケース３）。
【０１５８】
具体的には、制御部４０１は、ロングＴＴＩ及びショートＴＴＩ間の切り替えが行われる場合、ショートＰＵＳＣＨ（第２のＵＬ信号）用のＴＰＣコマンドに基づいてロングＰＵＳＣＨ（第１のＵＬ信号）用のＴＰＣコマンドを累積してもよい（ケース２）。
【０１５９】
或いは、制御部４０１は、ロングＴＴＩ及びショートＴＴＩ間の切り替えが行われる場合、ロングＰＵＳＣＨ（第１のＵＬ信号）用のＴＰＣコマンドに基づいてショートＰＵＳＣＨ（第２のＵＬ信号）用のＴＰＣコマンドを累積してもよい（ケース３）。
【０１６０】
また、制御部４０１は、ロングＰＵＳＣＨ（第１のＵＬ信号）用のＴＰＣコマンド及びショートＰＵＳＣＨ（第２のＵＬ信号）用のＴＰＣコマンドの双方を累積しなくともよい（第１の態様のケース４）。
【０１６１】
また、制御部４０１は、ロングＰＵＳＣＨ（第１のＵＬ信号）用のＴＰＣコマンド及び／又はショートＰＵＳＣＨ（第２のＵＬ信号）用のＴＰＣコマンドの累積のリセットを制御してもよい（第２の態様）。
【０１６２】
制御部４０１は、本発明に係る技術分野での共通認識に基づいて説明されるコントローラ、制御回路又は制御装置から構成することができる。
【０１６３】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１６４】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０１６５】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０１６６】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１６７】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１６８】
測定部４０５は、本発明に係る技術分野での共通認識に基づいて説明される信号処理器、信号処理回路又は信号処理装置、並びに、測定器、測定回路又は測定装置から構成することができる。
【０１６９】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１７０】
例えば、本実施の形態における無線基地局、ユーザ端末などは、本発明の無線通信方法の処理を行うコンピュータとして機能してもよい。図１２は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７１】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１７２】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１７３】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び書き込みの少なくとも一つを制御することで実現される。
【０１７４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１７５】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１７６】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１７７】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１７８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０１７９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８０】
また、図１２に示す各装置は、情報を通信するためのバス１００７で接続される。バス１００７は、単一のバスで構成されてもよいし、装置間で異なるバスで構成されてもよい。
【０１８１】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１８２】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１８３】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１８４】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において一つ又は複数のシンボルで構成されてもよい。
【０１８５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０１８６】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅及び／又は送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリング及び／又はリンクアダプテーションなどの処理単位となってもよい。なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８７】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、又はショートサブフレームなどと呼ばれてもよい。
【０１８８】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０１８９】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１９０】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボルの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９１】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１９２】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０１９３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９４】
また、情報、信号などは、上位レイヤから下位レイヤ、及び／又は下位レイヤから上位レイヤへ出力され得る。情報、信号などは、複数のネットワークノードを介して入出力されてもよい。
【０１９５】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１９６】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０１９８】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１９９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２００】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２０１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２０２】
本明細書で使用する「システム」及び「ネットワーク」という用語は、互換的に使用される。
【０２０３】
本明細書では、「基地局（ＢＳ：Base  Station）」、「無線基地局」、「ｅＮＢ」、「ｇＮＢ」、「「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０４】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０５】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０６】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０７】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び／又は「下り」は、「サイド」と読み替えられてもよい。例えば、上りチャネルは、サイドチャネルと読み替えられてもよい。
【０２０８】
同様に、本明細書におけるユーザ端末は、無線基地局で読み替えてもよい。この場合、上述のユーザ端末２０が有する機能を無線基地局１０が有する構成としてもよい。
【０２０９】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２１０】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２１１】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１３】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２１４】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１５】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２１６】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２１７】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2018207372.tif 000011
【図２】
2018207372.tif 000012
【図３】
2018207372.tif 000013
【図４】
2018207372.tif 000014
【図５】
2018207372.tif 000015
【図６】
2018207372.tif 000016
【図７】
2018207372.tif 000017
【図８】
2018207372.tif 000018
【図９】
2018207372.tif 000019
【図１０】
2018207372.tif 000020
【図１１】
2018207372.tif 000021
【図１２】
2018207372.tif 000022
【国際調査報告】
2018207372.tif 000023
2018207372.tif 000024
2018207372.tif 000025
2018207372.tif 000026